(57)【要約】【課題】香気成分を発散させるための安定的なエネルギー源を容易に確保でき、かつ香気効果を持続できる香気発散装置を提供する。【解決手段】浴槽湯の水面ａ上に位置する容器本体２と、該容器本体２に連通接続されその大部分が水中に位置する筒体３とを備え、容器本体２内を筒体３に連通する空気室Ａと香気成分８が充填される香気室Ｂとに画成するとともに、該香気室Ｂに上記空気室Ａに連通する連通孔３ｅと外気に連通する通気孔５ｄを形成する。そして浴槽湯の波のエネルギーを利用して上記空気室Ａ内に圧力変動を生じさせ、これにより上記通気孔５ｄから香気成分８からの香気８′を浴室内に発散させる。【選択図】      図１
2006000133.tif 000002
【特許請求の範囲】
【請求項１】
浴室内に香気を漂わせるようにした香気発散装置であって、浴槽湯の水面上に位置する容器本体と、該容器本体に連通接続されその大部分が水中に位置する筒体とを備え、上記容器本体内を上記筒体に連通する空気室と香気成分が充填された香気室とに画成するとともに、該香気室に上記空気室に連通する連通孔と外気に連通する通気孔とを形成し、上記浴槽湯の波のエネルギーを利用して上記空気室内に圧力変動を生じさせることにより上記通気孔から香気を浴室内に発散させることを特徴とする香気発散装置。
【請求項２】
請求項１において、上記容器本体は、上記筒体の上端部を囲むように形成されたフロート室を有する基体部と、該基体部の上方を覆うように装着され該基体部とで上記空気室を形成する蓋部と、該蓋部の内側に配設され該蓋部の内側壁とで上記香気室を形成する棚部とから構成されており、上記筒体には該筒体を水中にて略起立状態に保持する錘が配設されていることを特徴とする香気発散装置。
【請求項３】
請求項２において、上記蓋部の内側壁には、該内側壁に付着した結露水を上記空気室から筒体内に排出する水導出溝が形成されていることを特徴とする香気発散装置。
【請求項４】
請求項１ないし３の何れかにおいて、上記筒体の水中に位置する部分に浴槽湯に浸漬することにより溶解する固形状の入浴剤が付着されていることを特徴とする香気発散装置。
【請求項５】
請求項１ないし４の何れかにおいて、上記通気孔は、上記容器本体が浴槽湯に沈んでいるときには上記空気室及び香気室内の空気が僅かに抜けることにより水の進入を阻止する大きさに設定されていることを特徴とする入浴剤付き香気発散装置。
【発明の詳細な説明】
【技術分野】
【０００１】
本発明は、浴室内に癒し効果を高めるための香気を漂わせるようにした香気発散装置に関する。
【背景技術】
【０００２】
一般に、浴槽湯に投入される入浴剤は、主として温熱，清浄，保湿効果等をもらたすことにより疲労回復を図る効能成分と、癒し効果をもたらす着色剤及び香気成分等からなるフィーリング成分とから構成されている。
【０００３】
このような入浴剤に含まれる香気成分は、入浴剤が浴槽湯内に投入された直後においては香気の発散によりその効果を発揮するものの、時間の経過とともにその効果は失われ易く、持続性が低い。従って、例えば家庭の浴槽で用いた場合には、入浴剤を投入して時間が経過した後に入浴すると、香気の効果に浴することができない。これは、香気の発散を、香料の浴槽湯への溶解とその後の浴槽湯表面から空気中への散逸に頼っているためであり、時間の経過とともにその効果を失うのは必然的に避けられない。
【０００４】
また、入浴剤とは別に、香気成分を発散させる道具，例えばお香やろうそく，あるいは電熱器等を用いて浴室内に香気を漂わせる場合には、香気を持続させるための効果はある程度得られるものの、浴室の湿潤な環境から香気を発散させるための安定したエネルギー源を確保することが難しく、家庭での利用は限定的にならざるを得ない。
【０００５】
このような火や電気等のエネルギー源を用いないで浴室内に香気を漂わせるようにしたものとして、従来、浴槽湯の水面上にプラスチック製のフロートを浮遊させ、該フロート内に水面上方に位置するように芳香剤を配設するとともに、水中に位置するように水改質材（入浴剤）を配設したものが提案されている（特許文献１の図５を参照）。
【０００６】
【特許文献１】特開平１０−３１４７２５号公報
【発明の開示】
【発明が解決しようとする課題】
【０００７】
しかしながら、上記従来のようにフロート内の水面上方に単に芳香剤を配置する構造とした場合には、香料の揮発性に頼った自然発散となることから、香気効果が充分に得られないという問題がある。
【０００８】
本発明は、上記従来の実情に鑑みてなされたもので、香気を発散させるための安定的なエネルギー源を容易に確保でき、かつ香気効果を持続できる香気発散装置を提供することを目的としている。
【課題を解決するための手段】
【０００９】
請求項１の発明は、浴室内に香気を漂わせるようにした香気発散装置であって、浴槽湯の水面上に位置する容器本体と、該容器本体に連通接続されその大部分が水中に位置する筒体とを備え、上記容器本体内を上記筒体に連通する空気室と香気成分が充填された香気室とに画成するとともに、該香気室に上記空気室に連通する連通孔と外気に連通する通気孔とを形成し、上記浴槽湯の波のエネルギーを利用して上記空気室内に圧力変動を生じさせることにより上記通気孔から香気を浴室内に発散させることを特徴としている。
【００１０】
請求項２の発明は、請求項１において、上記容器本体は、上記筒体の上端部を囲むように形成されたフロート室を有する基体部と、該基体部の上方を覆うように装着され該基体部とで上記空気室を形成する蓋部と、該蓋部の内側に配設され該蓋部の内側壁とで上記香気室を形成する棚部とから構成されており、上記筒体には該筒体を水中にて略起立状態に保持する錘が配設されていることを特徴としている。
【００１１】
請求項３の発明は、請求項２において、上記蓋部の内側壁には、該内側壁に付着した結露水を上記空気室から筒体内に排出する水導出溝が形成されていることを特徴としている。
【００１２】
請求項４の発明は、請求項１ないし３の何れかにおいて、上記筒体の水中に位置する部分に浴槽湯に浸漬することにより溶解する固形状の入浴剤が付着されていることを特徴としている。
【００１３】
請求項５の発明は、請求項１ないし４の何れかにおいて、上記通気孔は、上記容器本体が浴槽湯に沈んでいるときには上記空気室及び香気室内の空気が僅かに抜けることにより水の進入を阻止する大きさに設定されていることを特徴としている。
【発明の効果】
【００１４】
請求項１の発明に係る香気発散装置によれば、浴槽湯の波のエネルギーを利用して空気室内に圧力変動を生じさせ、これにより通気孔から香気を浴室内に発散させるようにしたので、湯船に浸かったときの波立ちを香気を発散させるための安定的なエネルギー源として確保することができる。その結果、香気効果を長時間に渡って持続することができ、アロマセラピーとしての実効性を高めることが可能となる。
【００１５】
請求項２の発明では、容器本体を、フロート室を有する基体部と、該基体部とで空気室を形成する蓋部と、該蓋部の内側壁とで香気室を形成する棚部とから構成し、筒体に該筒体を水中にて略起立状態に保持する錘を配設したので、簡単な構造でかつ低コストで香気発散装置を構成できる。
【００１６】
請求項３の発明では、蓋部の内側壁に付着した結露水を水導出溝を介して筒体内に排出するようにしたので、蓋部の内面壁に付着した結露水が香気室内に進入するのを抑制できる。
【００１７】
請求項４の発明では、浴槽湯に浸漬することによって溶解する入浴剤を筒体に付着したので、湯船に浸かったときの波立ちを有効利用して香気を発散させることができるとともに、入浴剤の温熱，清浄，保湿効果による疲労回復を図ることができる。
【００１８】
請求項５の発明では、通気孔の大きさを、容器本体が浴槽中に沈んでいるときには空気室，香気室内の空気が僅かに抜ける程度の大きさとしたので、入浴剤を付着したことによる重量増で容器本体が一旦浴槽湯に沈んだ場合にも通気孔から香気室内に水が進入するのを抑制できる。
【発明を実施するための最良の形態】
【００１９】
以下、本発明の実施の形態を添付図面に基づいて説明する。
【００２０】
図１及び図２は、本発明の一実施形態による香気発散装置を説明するための図であり、図１は入浴剤付き香気発散装置の断面図、図２は香気発散装置の容器本体部分の断面図である。
【００２１】
図において、１は浴室内に香気を漂わせるようにした入浴剤付き香気発散装置を示しており、これは浴槽湯の水面ａ上に位置する樹脂製の容器本体２と、該容器本体２に連通接続され、その大部分が水中に位置する同じく樹脂製の筒体３とを備えている。この香気発散装置１は、例えば容器本体２の外径が４０ｍｍ，容器本体２及び筒体３を含む全長が１００〜１２０ｍｍ程度のものである。
【００２２】
上記容器本体２は、上記筒体３の上端部３ａを囲むように形成されたフロート室Ｃを有する基体部４と、該基体部４の上方を覆うように装着され該基体部４とで空気室Ａを形成する蓋部５と、該蓋部５の内側に配設されて香気室Ｂを形成する棚部６とから構成されている。
【００２３】
上記筒体３は、下端が開口した円筒状のものであり、該筒体３の下端部３ｂの外周には筒体３を水中にて略起立状態に保持する錘７が固着されている。この錘７の重量及びフロート室Ｃの容積は、香気発散装置１を浴槽湯内に投入したときに、筒体３が常時安定して垂直方向を向くように起立し、かつ筒体３の上端部３ａに空洞部Ｄが常時安定して形成されるように設定されている。
【００２４】
上記基体部４は、上記筒体３の上端部３ａが挿入固定された内筒部４ａと外筒部４ｂとを底壁部４ｃ及び上壁部４ｄで閉塞することにより上記フロート室Ｃを形成した構造となっている。また上記外筒部４ｂには上壁部４ｄから上方に延びる外周壁部４ｅが一体形成されている。
【００２５】
上記蓋部５は、中心部から外側に向かって下方に傾斜するように概ね傘状に形成されており、上記外周壁部４ｅに、例えばねじ込みにより気密に固定されている。この蓋部５と基体部４の上壁部４ｄとで形成された空間が上記空気室Ａとなっている。
【００２６】
上記棚部６は、上方に開口する有底円筒状のものからなり、該棚部６の上端開口は上記蓋部５の内側壁５ａに下方に突出するよう形成された筒部５ｂにより閉塞されている。この筒部５ｂと上記棚部６とで形成された空間が上記香気室Ｂとなっており、該香気室Ｂは上記空気室Ａと画成されている。
【００２７】
なお、上記棚部６を上記蓋部５に吊り下げるように形成しても良い。
【００２８】
上記香気室Ｂ内には香料，精油等の香気成分８が充填されている。ここで、香気成分８としては、ワックスに含浸され、かつ該ワックスが撥水糸で形成された網状袋に収納されたものを採用するのが好ましい。
【００２９】
上記蓋部５の内側壁５ａには、中心部から外側に向かって放射状に延びる複数の水導出溝５ｃが形成されている。また上記基体部４の上壁部４ｄは外側から中心部に向かって下るように傾斜している。そして蓋部５の内面壁５ａに付着した結露水は、各水導出溝５ｃを伝って基体部４の外周壁部４ｅに流れ、ここから上壁部４ｄを下って筒体３内に排出されるようになっている。
【００３０】
上記筒体３の上端には空気室Ａ内に突出する凸部３ｃが一体形成されている。この凸部３ｃの上面に上記棚部６が載置固定されている。また上記筒体３には上記基体部４の底壁部４ｃに当接して上方への移動を規制する位置決めフランジ３ｄが形成されている。
【００３１】
なお、上記棚部６を上記蓋部５に吊り下げるように形成しても良い。
【００３２】
上記筒体３の凸部３ｃには複数の開口３ｅが形成されており、各開口３ｅにより空気室Ａと筒体３内の空洞部Ｄとが連通されている。
【００３３】
上記棚部６の底壁６ａには香気室Ｂと空気室Ａとを連通する多数の連通孔６ｂが形成されている。さらに上記蓋部５の中心部には香気室Ｂと浴室内である外気とを連通する１つの通気孔５ｄが形成されている。
【００３４】
これにより湯船に浸かったときの浴槽湯の波のエネルギーによって筒体３内の水位が変動し、空洞部Ｄ内の圧力変動が空気室Ａから香気室Ｂに伝わり、上記通気孔５ｄから香気成分８が浴室内に発散される。
【００３５】
また上記通気孔５ｄの孔径は、上記容器本体２が浴槽湯に沈んだときには上記空気室Ａ，香気室Ｂの空気が僅かに抜ける程度の大きさに設定されている。
【００３６】
上記筒体３には浴槽湯に浸漬することにより溶解する固形状の入浴剤１０が付着されている。この入浴剤１０は、容器本体２と略同じ径となるように形成されており、浴槽湯に投入したときに筒体３が垂直方向を向くように筒体３の下端部３ｂに形成されている。また上記入浴剤１０は、浴槽湯に投入すると数十秒以内で溶けるようにコーンスターチ等で固められたものが採用されている。
【００３７】
本香気発散装置１は、入浴剤１０の重量とフロート室Ｃの容積との関係で比重が１より大きくなっている。このため浴槽湯に投入したときには入浴剤１０の重量によって一旦沈み、入浴剤１０が溶けると水面ａに浮上する。
【００３８】
上記蓋部５には通気孔５ｄを閉塞するプラグ１２が固着された粘着テープ１３が取り外し可能に貼着されており、筒体３には下端開口３ｂ′を閉塞するプラグ１４が固着された粘着テープ１５が取り外し可能に貼着されている。これにより保管中に香気成分８が外部に漏れるのを防止している。なお、商品として出荷する際には機密性の高いアルミ裏張り袋等に収納される。
【００３９】
本実施形態の入浴剤付き香気発散装置１を使用するには、各粘着テープ１３，１５を取り外して容器本体２の通気孔５ｄを開放するとともに、筒体３の下端開口３ｂ′を開放し、浴槽湯内に投入する。すると香気発散装置１は入浴剤１０の重さによって浴槽湯に一旦沈み、入浴剤１０が溶けると水面ａ上に浮上する。この場合、筒体３内の空気は空気室Ａ，香気室Ｂを通ってから通気孔５ｄから僅かに抜けるだけであるので、入浴剤１０が溶ける間に空気孔５ｄから香気室Ｂ内に水が入り込むことはない。
【００４０】
容器本体２が水面ａに浮上するとともに、筒体３内の水面ａ′が上昇して浴槽の水面ａと略一致する。そして湯船に浸かったときの波のエネルギーにより筒体３内の水面ａ′が上下動し、該水位の変動による空洞部Ｄの圧力変動が空気室Ａに伝わり、該空気室Ａから連通孔６ｂを介して香気室Ｂに伝達され、香気成分８からの香気８′が通気孔５ｄを介して浴室内に発散されることとなる。
【００４１】
このようにして浴槽湯内に溶解した入浴剤１０によって、身体の清浄とともに温熱，保湿効果により疲労回復が図られる。一方、浴室内に漂う香気の癒し効果によってストレスが癒されることとなる。この場合、湯船に浸かったときの波のエネルギーを利用して香気８′を発散させることから、入浴時のみ香気８′が発散されることとなり、持続性が大幅に向上する。
【００４２】
このように本実施形態によれば、湯船に浸かったときの浴槽湯の波のエネルギーを利用して空気室Ａ内に圧力変動を生じさせ、これにより通気孔５ｄから香気８′を浴室内に発散させるようにしたので、浴槽湯の波立ちを有効利用して香気を放出させることができ、エネルギー源を安定的にかつ容易に確保することができる。その結果、香気効果を長時間に渡って持続することができ、アロマセラピーとしての実効性を高めることが可能となる。
【００４３】
本実施形態では、浴槽湯に浸漬することによって溶解する入浴剤１０を筒体３に固着したので、香気成分８による癒し効果を得ながら、入浴剤１０の温熱，清浄，保湿効果による疲労回復を図ることができる。
【００４４】
本実施形態では、容器本体２を、フロート室Ｃを有する基体部４と、該基体部４とで空気室Ａを形成する蓋部５と、該蓋部５の内側壁５ａとで香気室Ｂを形成する棚部６とから構成し、筒体３の下端部３ｂに該筒体３を水中にて略起立状態に保持する錘７を配設したので、簡単な構造でかつ低コストで香気発散装置を構成でき、家庭での需要を拡大できる。
【００４５】
また上記蓋部５の内側壁５ａに結露水を筒体３内に排出するための水導出溝５ｃを放射状に形成したので、蓋部５の内側壁５ａに付着した結露水が香気室Ｂ内に落下するのを抑制できる。
【００４６】
本実施形態では、上記通気孔５ｄの孔径を、容器本体２が浴槽中に沈んでいるときには空気室Ａ，香気室Ｂ内の空気が僅かに抜ける程度の大きさとしたので、香気発散装置１に入浴剤１０を付けたことによる重量増によって、容器本体２が一旦浴槽湯に沈んだ場合にも通気孔５ｄから香気室Ｂ内に水が入り込むのを防止できる。
【００４７】
なお、上記実施形態では、入浴剤付き香気発揮装置を例に説明したが、本発明は入浴剤を付けない香気発散装置単体であってもよく、この場合にも湯船に浸かったときの波立ちを有効利用して香気を発散させることができ、癒し効果を持続することができる。また単体とした場合には、入浴剤を付ける場合と比べて技術的制約事項が少なく、各種のサイズ，形状のものが作成可能である。
【図面の簡単な説明】
【００４８】
【図１】本発明の一実施形態によるに付き香気発散装置の断面図である。
【図２】上記香気発散装置の容器本体部分の断面図である。
【符号の説明】
【００４９】
１          香気発散装置
２          容器本体
３          筒体
４          基体部
５          蓋部
５ａ        内側壁
５ｃ        水導出溝
５ｄ        通気孔
６          棚部
６ｂ        連通孔
７          錘
８          香気成分
８′        香気
１０        入浴剤
ａ          水面
Ａ          空気室
Ｂ          香気室
Ｃ          フロート室
【図１】
2006000133.tif 000003
【図２】
2006000133.tif 000004